(57)【要約】【課題】ユーザが第１操作と第２操作との間で切替を行ったときその切替が行われたことを画面上で容易に認識できしかも切替前後の作業性を良好にする。【解決手段】デザイン操作画面６２が表示されているときにユーザが印刷操作選択バー２４４ｂを選択すると、デザイン操作画面６２から印刷操作画面６４へとスライドさせる。このとき、デザイン操作画面６２のうちの印刷プレビュー表示部２４１をそのまま画面に残して印刷操作画面６４の一部を成すようにする一方、デザインメニュー表示部２４２を画面から消して印刷メニュー表示部２４３を画面に表示させる。このように、操作画面の切替前後において各メニュー表示部２４２，２４３を切り替えて表示させることから、ユーザは操作の切替が行われたことを画面上で容易に認識することができるし、印刷プレビュー表示部２４１はそのまま残ることからユーザの作業性が向上する。【選択図】        図６
2004342045.tif 000002
【特許請求の範囲】
【請求項１】
各種情報を表示可能な表示手段にユーザインタフェースに関わる画面を表示するユーザインタフェース装置であって、
ユーザコマンドを取得するコマンド取得手段と、
少なくとも第１操作メニュー表示部のデータと第２操作メニュー表示部のデータと各操作の処理対象を表示するビュワ表示部のデータとを記憶する記憶手段と、
前記コマンド取得手段によって取得されたユーザコマンドが第１操作画面表示コマンドのときには前記記憶手段から前記第１操作メニュー表示部のデータと前記ビュワ表示部のデータとを読み出して前記ビュワ表示部の周囲のうちいずれか一辺に前記第１操作メニュー表示部を付した第１操作表示画面を前記表示手段に表示し、前記コマンド取得手段によって取得されたユーザコマンドが第２操作画面表示コマンドのときには前記記憶手段から前記第２操作メニュー表示部のデータと前記ビュワ表示部のデータとを読み出して前記ビュワ表示部の周囲のうち前記一辺の対辺に第２操作メニュー表示部を付した第２操作表示画面を前記表示手段に表示する表示制御手段と、
を備え、
前記表示制御手段は、前記第１操作画面が前記表示手段に表示されているときに前記第２操作画面表示コマンドが取得されると、前記第１操作画面をスライドさせて前記ビュワ表示部を前記表示手段に表示したまま前記第１操作メニュー表示部を前記表示手段から消しつつ前記第２操作メニュー表示部を前記表示手段に現すことにより前記第２操作画面を前記表示手段に表示し、前記第２操作画面が前記表示手段に表示されているときに前記第１操作画面表示コマンドが取得されると、前記第２操作画面をスライドさせて前記ビュワ表示部を前記表示手段に表示したまま前記第２操作メニュー表示部を前記表示手段から消しつつ前記第１操作メニュー表示部を前記表示手段に現すことにより前記第１操作画面を前記表示手段に表示する、
ユーザインタフェース装置。
【請求項２】
前記第１操作表示画面は前記ビュワ表示部の左辺又は右辺に前記第１操作メニュー表示部が付され、前記第２操作表示画面は前記ビュワ表示部の右辺又は左辺に前記第２操作メニュー表示部が付され、前記表示制御手段は第１又は第２操作画面をスライドさせる際に左右方向にスライドさせる、
請求項１に記載のユーザインタフェース装置。
【請求項３】
前記第１操作表示画面は前記ビュワ表示部の上辺又は下辺に前記第１操作メニュー表示部が付され、前記第２操作表示画面は前記ビュワ表示部の下辺又は上辺に前記第２操作メニュー表示部が付され、前記表示制御手段は第１又は第２操作画面をスライドさせる際に上下方向にスライドさせる、
請求項１に記載のユーザインタフェース装置。
【請求項４】
前記記憶手段は、前記第１操作画面表示コマンドの選択バーと前記第２操作画面表示コマンドの選択バーとを記憶し、
前記表示制御手段は、前記第１操作画面を前記表示手段に表示するときには前記第１操作画面表示コマンドの選択バーと前記第２操作画面表示コマンドの選択バーとを前記ビュワ表示部と前記第１又は第２操作メニュー表示部との並び方向と同方向に並べ且つ前記第１操作画面表示コマンドの選択バーを長く前記第２操作画面表示コマンドの選択バーを短く表示し、前記第２操作画面を前記表示手段に表示するときには前記第１操作画面表示コマンドの選択バーと前記第２操作画面表示コマンドの選択バーとを前記ビュワ表示部と前記第１又は第２操作メニュー表示部との並び方向と同方向に並べ且つ前記第２操作画面表示コマンドの選択バーを長く前記第１操作画面表示コマンドの選択バーを短く表示する、
請求項１〜３のいずれかに記載のユーザインタフェース装置。
【請求項５】
前記表示制御手段は、前記第１操作画面をスライドさせて前記第２操作画面に表示を切り替えるとき又は前記第２操作画面をスライドさせて前記第１操作画面に表示を切り替えるときには、前記第１操作画面表示コマンドの選択バーと前記第２操作画面表示コマンドの選択バーもスライドさせて両選択バーの長さを切り替える、
請求項４に記載のユーザインタフェース装置。
【請求項６】
前記第１操作メニュー表示部は画像編集に関するメニュー、ガイダンス又はデータ設定入力欄を表示し、前記第２操作メニュー表示部は画像印刷に関するメニュー、ガイダンス又はデータ設定入力欄を表示し、前記ビュワ表示部は前記画像編集又は前記画像印刷の対象となる画像を表示する、
請求項１〜５のいずれかに記載のユーザインタフェース装置。
【請求項７】
前記ビュワ表示部は動画のキャプチャー画像を前記画像編集又は前記画像印刷の対象として表示する、請求項６に記載のユーザインタフェース装置。
【請求項８】
ハードディスク又はデジタルヴァーサタイルディスクを動画の記録媒体とするディスクレコーダに接続され該ディスクレコーダの前記記録媒体から動画をキャプチャーする機能を備えたプリンタに搭載される、請求項７に記載のユーザインタフェース装置。
【請求項９】
前記コマンド取得手段、前記記憶手段、前記表示手段及び前記表示制御手段を備えたコンピュータからなる、
請求項１〜８のいずれかに記載のユーザインタフェース装置。
【請求項１０】
少なくとも第１操作メニュー表示部のデータと第２操作メニュー表示部のデータと各操作の処理対象を表示するビュワ表示部のデータとを記憶する記憶手段から適宜データを読み出して表示手段に表示するコンピュータ・ソフトウェアによるユーザインタフェース表示方法であって、
ユーザコマンドを取得するステップと、
ユーザコマンドが第１操作画面表示コマンドのときには前記記憶手段から前記第１操作メニュー表示部のデータと前記ビュワ表示部のデータとを読み出して前記ビュワ表示部の周囲のうちいずれか一辺に前記第１操作メニュー表示部を付した第１操作表示画面を表示手段に表示するステップと、
ユーザコマンドが第２操作画面表示コマンドのときには前記記憶手段から前記第２操作メニュー表示部のデータと前記ビュワ表示部のデータとを読み出して前記ビュワ表示部の周囲のうち前記一辺の対辺に第２操作メニュー表示部を付した第２操作表示画面を前記表示手段に表示するステップと、
前記第１操作画面が前記表示手段に表示されているときに前記第２操作画面表示コマンドが取得されると、前記第１操作画面をスライドさせて前記ビュワ表示部を前記表示手段に表示したまま前記第１操作メニュー表示部を前記表示手段から消しつつ前記第２操作メニュー表示部を前記表示手段に現すことにより前記第２操作画面を前記表示手段に表示するステップと、
前記第２操作画面が前記表示手段に表示されているときに前記第１操作画面表示コマンドが取得されると、前記第２操作画面をスライドさせて前記ビュワ表示部を前記表示手段に表示したまま前記第２操作メニュー表示部を前記表示手段から消しつつ前記第１操作メニュー表示部を前記表示手段に現すことにより前記第１操作画面を前記表示手段に表示するステップと、
を含むユーザインタフェース表示方法。
【請求項１１】
請求項１０に記載のユーザインタフェース表示方法の各ステップを１又は複数のコンピュータに実行させるためのプログラム。
【発明の詳細な説明】
【０００１】
【発明の属する技術分野】
本発明は、各種情報を表示可能な表示手段にユーザインタフェースに関わる画面を表示するユーザインタフェース装置、その表示方法及びそのプログラムに関する。
【０００２】
【従来の技術】
従来、各種情報を表示可能な表示手段にユーザインタフェースに関わる画面を表示するユーザインタフェース装置としては、ディスプレイの画面上に印刷プレビューイメージを表示した状態でユーザが編集ボタンをクリックすると編集モードになり、印刷プレビューイメージの所定箇所の内容を変更することが可能になるものが知られている（例えば、特許文献１参照）。これによれば、印刷プレビュー画面上に表示された書類等を直接編集することができるため、ユーザの作業効率が向上する。
【０００３】
【特許文献１】
特開２００２−２８８１６０号公報
【０００４】
【発明が解決しようとする課題】
しかしながら、特許文献１では、印刷プレビューイメージを表示した状態でユーザが編集ボタンを押したとしてもディスプレイの画面は切り替わらず相変わらず印刷プレビューイメージが表示されているだけなので、ユーザは編集モードに変わったかどうかをすぐに認識することができない。一方、ディスプレイの画面を切り替えるようにするとすれば、前出の特許文献１の従来の技術に記載されているように、印刷プレビューイメージの表示画面を一旦閉じたあと編集作業に移行することになり、ユーザにとって作業性がよくないという問題がある。
【０００５】
本発明は、このような課題に鑑みなされたものであり、ユーザが第１操作と第２操作との間で切替を行ったときその切替が行われたことを画面上で容易に認識することができ、しかも切替前後の作業性を良好にすることができるユーザインタフェース装置、その方法及びそのプログラムを提供することを目的とする。
【０００６】
【課題を解決するための手段およびその作用・効果】
本発明のユーザインタフェース装置、その表示方法及びそのプログラムは、上述の目的を達成するために以下の手段を採った。
【０００７】
本発明は、各種情報を表示可能な表示手段にユーザインタフェースに関わる画面を表示するユーザインタフェース装置であって、
ユーザコマンドを取得するコマンド取得手段と、
少なくとも第１操作メニュー表示部のデータと第２操作メニュー表示部のデータと各操作の処理対象を表示するビュワ表示部のデータとを記憶する記憶手段と、
前記コマンド取得手段によって取得されたユーザコマンドが第１操作画面表示コマンドのときには前記記憶手段から前記第１操作メニュー表示部のデータと前記ビュワ表示部のデータとを読み出して前記ビュワ表示部の周囲のうちいずれか一辺に前記第１操作メニュー表示部を付した第１操作表示画面を前記表示手段に表示し、前記コマンド取得手段によって取得されたユーザコマンドが第２操作画面表示コマンドのときには前記記憶手段から前記第２操作メニュー表示部のデータと前記ビュワ表示部のデータとを読み出して前記ビュワ表示部の周囲のうち前記一辺の対辺に第２操作メニュー表示部を付した第２操作表示画面を前記表示手段に表示する表示制御手段と、
を備え、
前記表示制御手段は、前記第１操作画面が前記表示手段に表示されているときに前記第２操作画面表示コマンドが取得されると、前記第１操作画面をスライドさせて前記ビュワ表示部を前記表示手段に表示したまま前記第１操作メニュー表示部を前記表示手段から消しつつ前記第２操作メニュー表示部を前記表示手段に現すことにより前記第２操作画面を前記表示手段に表示し、前記第２操作画面が前記表示手段に表示されているときに前記第１操作画面表示コマンドが取得されると、前記第２操作画面をスライドさせて前記ビュワ表示部を前記表示手段に表示したまま前記第２操作メニュー表示部を前記表示手段から消しつつ前記第１操作メニュー表示部を前記表示手段に現すことにより前記第１操作画面を前記表示手段に表示する、ものである。
【０００８】
このユーザインタフェース装置では、第１操作画面が表示されているときにユーザから第２操作画面表示コマンドを取得すると、第１操作画面のうちのビュワ表示部をそのまま表示手段に残して第２操作画面の一部を成すようにする一方、第１操作メニュー表示部を画面から消して第２操作メニュー表示部を画面に表示させる。また、第２操作画面が表示されているときにユーザから第１操作画面表示コマンドを取得すると、第２操作画面のうちのビュワ表示部をそのまま表示手段に残して第１操作画面の一部を成すようにする一方、第２操作メニュー表示部を画面から消して第１操作メニュー表示部を画面に表示させる。このように、操作画面の切替前後において操作メニュー表示部を切り替えて表示させることから、ユーザは操作の切替が行われたことを画面上で容易に認識することができる。また、操作画面の切替前後においてビュワ表示部はそのまま残ることから、ビュワ表示部が一旦画面から消え再び呼び出される場合に比べてユーザの作業性が向上する。
【０００９】
ここで、ビュワ表示部の周囲のうちいずれか一辺に第１操作メニュー表示部を付す場合、ビュワ表示部の一辺に第１操作メニュー表示部を直接付してもよいし、間に別の表示部を介在させて間接的に付してもよい。第２操作メニュー表示部についても同様である。
【００１０】
本発明のユーザインタフェース装置において、前記第１操作表示画面は前記ビュワ表示部の左辺又は右辺に前記第１操作メニュー表示部が付され、前記第２操作表示画面は前記ビュワ表示部の右辺又は左辺に前記第２操作メニュー表示部が付され、前記表示制御手段は第１又は第２操作画面をスライドさせる際に左右方向にスライドさせてもよい。こうすれば、例えば表示手段がアスペクト比３：４とか９：１６のような横長画面のときに、その画面を左右に分けてビュワ表示部と操作メニュー表示部とを適切な大きさで表示することができる。
【００１１】
本発明のユーザインタフェース装置において、前記第１操作表示画面は前記ビュワ表示部の上辺又は下辺に前記第１操作メニュー表示部が付され、前記第２操作表示画面は前記ビュワ表示部の下辺又は上辺に前記第２操作メニュー表示部が付され、前記表示制御手段は第１又は第２操作画面をスライドさせる際に上下方向にスライドさせてもよい。こうすれば、例えば表示手段がＡ４縦置き型のような縦長画面のとき、その画面を上下に分けてビュワ表示部と操作メニュー表示部とを適切な大きさで表示することができる。
【００１２】
本発明のユーザインタフェース装置において、前記記憶手段は、前記第１操作画面表示コマンドの選択バーと前記第２操作画面表示コマンドの選択バーとを記憶し、前記表示制御手段は、前記第１操作画面を前記表示手段に表示するときには前記第１操作画面表示コマンドの選択バーと前記第２操作画面表示コマンドの選択バーとを前記ビュワ表示部と前記第１又は第２操作メニュー表示部との並び方向と同方向に並べ且つ前記第１操作画面表示コマンドの選択バーを長く前記第２操作画面表示コマンドの選択バーを短く表示し、前記第２操作画面を前記表示手段に表示するときには前記第１操作画面表示コマンドの選択バーと前記第２操作画面表示コマンドの選択バーとを前記ビュワ表示部と前記第１又は第２操作メニュー表示部との並び方向と同方向に並べ且つ前記第２操作画面表示コマンドの選択バーを長く前記第１操作画面表示コマンドの選択バーを短く表示してもよい。こうすれば、第１操作画面においては、第１操作画面表示コマンドの選択バーが長く表示されているためユーザは現画面が第１操作画面であると認識しやすいし、第２操作画面に切り替えるときには短く表示された第２操作画面表示コマンドの選択バーを選択すればよいため切替操作が容易である。第２操作画面においても同様である。
【００１３】
この態様を採用した本発明のユーザインタフェース装置において、前記表示制御手段は、前記第１操作画面をスライドさせて前記第２操作画面に表示を切り替えるとき又は前記第２操作画面をスライドさせて前記第１操作画面に表示を切り替えるときには、前記第１操作画面表示コマンドの選択バーと前記第２操作画面表示コマンドの選択バーもスライドさせて両選択バーの長さを切り替えてもよい。こうすれば、操作画面が切り替わる際に両選択バーがスライドして長短が切り替わるため、どちらの操作画面に切り替わったのかを視覚的に認識しやすい。
【００１４】
本発明のユーザインタフェース装置において、前記第１操作メニュー表示部は画像編集に関するメニュー、ガイダンス又はデータ設定入力欄を表示し、前記第２操作メニュー表示部は画像印刷に関するメニュー、ガイダンス又はデータ設定入力欄を表示し、前記ビュワ表示部は前記画像編集又は前記画像印刷の対象となる画像を表示してもよい。こうすれば、画像編集を行ったあと画像印刷を行う場合や画像印刷を行ったあと画像編集を行う場合には、操作画面が切り替わる前後でビュワ表示部の表示内容が同一であることを容易に確認したいという要望が強いため、本発明を適用する意義が高い。
【００１５】
本発明のユーザインタフェース装置において、前記ビュワ表示部は動画のキャプチャー画像を前記画像編集又は前記画像印刷の対象として表示してもよい。こうすれば、動画のキャプチャ画像を編集したあとのビュワ表示部が印刷時にそのまま残るため、編集後の画像を確認したあと印刷するのが簡単確実となる。
【００１６】
本発明のユーザインタフェース装置は、ハードディスク又はデジタルヴァーサタイルディスクを動画の記録媒体とするディスクレコーダに接続され該ディスクレコーダの前記記録媒体から動画をキャプチャーする機能を備えたプリンタに搭載されるようにしてもよい。こうすれば、ディスクレコーダの動画をキャプチャーしてプリンタで印刷する際のユーザの作業性が良好となる。
【００１７】
本発明のユーザインタフェース装置は、前記コマンド取得手段、前記記憶手段、前記表示手段及び前記表示制御手段を備えたコンピュータからなるようにしてもよい。こうすれば、このコンピュータが表示制御を実行するため、容易に本発明を実現することができる。
【００１８】
本発明は、少なくとも第１操作メニュー表示部のデータと第２操作メニュー表示部のデータと各操作の処理対象を表示するビュワ表示部のデータとを記憶する記憶手段から適宜データを読み出して表示手段に表示するコンピュータ・ソフトウェアによるユーザインタフェース表示方法であって、
ユーザコマンドを取得するステップと、
ユーザコマンドが第１操作画面表示コマンドのときには前記記憶手段から前記第１操作メニュー表示部のデータと前記ビュワ表示部のデータとを読み出して前記ビュワ表示部の周囲のうちいずれか一辺に前記第１操作メニュー表示部を付した第１操作表示画面を表示手段に表示するステップと、
ユーザコマンドが第２操作画面表示コマンドのときには前記記憶手段から前記第２操作メニュー表示部のデータと前記ビュワ表示部のデータとを読み出して前記ビュワ表示部の周囲のうち前記一辺の対辺に第２操作メニュー表示部を付した第２操作表示画面を前記表示手段に表示するステップと、
前記第１操作画面が前記表示手段に表示されているときに前記第２操作画面表示コマンドを取得すると、前記第１操作画面をスライドさせて前記ビュワ表示部を前記表示手段に表示したまま前記第１操作メニュー表示部を前記表示手段から消しつつ前記第２操作メニュー表示部を前記表示手段に現すことにより前記第２操作画面を前記表示手段に表示するステップと、
前記第２操作画面が前記表示手段に表示されているときに前記第１操作画面表示コマンドを取得すると、前記第２操作画面をスライドさせて前記ビュワ表示部を前記表示手段に表示したまま前記第２操作メニュー表示部を前記表示手段から消しつつ前記第１操作メニュー表示部を前記表示手段に現すことにより前記第１操作画面を前記表示手段に表示するステップと、
を含むものとしてもよい。
【００１９】
このユーザインタフェース表示方法では、操作画面の切替後において切替後の操作メニュー画面をビュワ表示部に付して表示させることから、ユーザは操作の切替が行われたことを画面上で容易に認識することができる。また、操作画面の切替後において各操作の処理対象が表示されるビュワ表示部はそのまま残ることから、ビュワ表示部が一旦画面から消え再び呼び出す場合に比べてユーザの作業性が向上する。なお、このユーザインタフェース表示方法は、この方法を説明する前にすでに述べたユーザインタフェース装置が備えている構成を備えていてもよいし、また、そのユーザインタフェース装置の機能を実現するようなステップを含んでいてもよい。
【００２０】
本発明は、上述したユーザインタフェース表示方法の各ステップを１又は複数のコンピュータに実行させるためのプログラムとしてもよい。このプログラムは、コンピュータが読み取り可能な記録媒体（例えばハードディスク、ＲＯＭ、ＦＤ、ＣＤ、ＤＶＤなど）に記録されていてもよいし、伝送媒体（インターネットやＬＡＮなどの通信網）を介してあるコンピュータから別のコンピュータへ配信されてもよいし、その他どのような形で授受されてもよい。このプログラムを一つのコンピュータに実行させるか又は複数のコンピュータに各ステップを分担して実行させれば、上述したユーザインタフェース表示方法の各ステップが実行されるため、上述したユーザインタフェース表示方法と同様の作用効果が得られる。
【００２１】
【発明の実施の形態】
次に、本発明の実施の形態を図面に基づいて説明する。図１は、本発明の一実施形態であるコンピュータシステム１０の構成の概略を示す構成図、図２は表示画像メモリ２４の説明図、図３は各データの説明図、図４は各表示部の説明図である。このコンピュータシステム１０は、図１に示すように、パーソナルコンピュータ（以下パソコンという）２０と、ＨＤＤ／ＤＶＤレコーダ４０と、プリンタ４２とを備えている。なお、ＨＤＤとはハードディスクドライブの略であり、ＤＶＤとはデジタルヴァーサタイルディスクの略である。
【００２２】
パソコン２０は、各種制御を実行するＣＰＵ２１と、各種制御プログラムを記憶するＲＯＭ２２と、データを一時記憶するＲＡＭ２３、ディスプレイ３１に表示する各種画面の画像データを記憶する表示画像メモリ２４と、各種データや各種アプリケーションプログラムを記憶するＨＤＤ２６を制御するハードディスクコントローラ２５と、キーボード２８やマウス２９からの入力信号を制御する周辺コントローラ２７と、表示画像メモリ２４に記憶される画像データに基づいてディスプレイ３１の画面表示を制御するビデオコントローラ３０と、図示しないコネクタを介して接続されたＨＤＤ／ＤＶＤレコーダ４０から動画映像信号の入力を司るインタフェースである動画入力インタフェース３２と、図示しないＬＡＮケーブルを介して接続されたネットワーク対応のプリンタ４２とのデータの入出力を司るネットワークインタフェース３３とを備え、これらはバス３４によってデータのやり取りが可能なように接続されている。
【００２３】
このパソコン２０では、オペレーティングシステムはＨＤＤ２６に記憶されており、電源を投入するとＨＤＤ２６のブートブロックに書き込まれたローダに従ってＲＡＭ２３の所定の領域にロードされる。また、ＨＤＤ／ＤＶＤレコーダ４０の動画映像を静止画としてキャプチャしたあと編集したり印刷したりするためのアプリケーションプログラム（以下キャプチャ画像処理プログラムという）も、ＨＤＤ２６に記憶されており、このキャプチャ画像処理プログラムの起動命令を受けたときにＲＡＭ２３の所定の領域にロードされる。
【００２４】
ここで、表示画像メモリ２４に記憶されるデータのうちキャプチャ画像処理プログラムに関連するデータについて詳細に説明する。表示画像メモリ２４は、図２に示すように、印刷プレビューデータ２４ａとデザインメニューデータ２４ｂと印刷メニューデータ２４ｃと選択バーデータ２４ｄとを記憶している。このうち、印刷プレビューデータ２４ａは、ＨＤＤ／ＤＶＤレコーダ４０の動画映像をキャプチャしたときの静止画に基づいて、キャプチャ画像処理プログラム上で設定された印刷媒体種、画像配置、画質、文字に合致するように作成されるデータであり、図３（ａ）に示すようにディスプレイ３１上では印刷プレビューを表示する印刷プレビュー表示部２４１となる。また、デザインメニューデータ２４ｂは、画像編集に関するメニューデータであり、図３（ｂ）に示すようにディスプレイ３１上では、「レイアウト」、「画像配置」、「画質調整」、「文字」の４つのメニューを表示するデザインメニュー表示部２４２となる。ここで、「レイアウト」とは、複数の印刷媒体種（ＣＤレーベル面、ＣＤジャケット、ポストカード、Ａ４用紙等）から一つの印刷媒体を選択するためのメニューであり、「画像配置」とは、画像を移動するか拡大縮小するか回転するかを選択するためのメニューであり、「画質調整」とは、カラー（フルカラー、モノクロ等）や明るさやコントラストを選択するためのメニューであり、「文字」とは、フォントや大きさや色等を選択するためのメニューである。また、印刷メニューデータ２４ｃは、画像印刷に関するメニューデータであり、図３（ｃ）に示すようにディスプレイ３１上では印刷枚数の確認を促すメッセージボックスと印刷枚数を入力するための入力ボックスと印刷開始を指令するための印刷開始ボタンとを表示する印刷メニュー表示部２４３となる。また、選択バーデータ２４ｄは、デザイン操作画面６２（図６参照）か印刷操作画面６４（図６参照）のいずれかを呼び出すときに用いられるデータであり、図３（ｄ）に示すようにディスプレイ３１上ではデザイン操作画面６２を呼び出すための帯状のデザイン操作選択バー２４４ａと印刷操作画面６４を呼び出すための帯状の印刷操作選択バー２４４ｂとを左右に並べた選択バー表示部２４４となる。
【００２５】
各データ２４ａ〜２４ｄは、平面座標上の縦軸と横軸との格子点に配置した各画素に対してＲＧＢの明るさを表す３つの数値データを対応づけたものである。図４は、平面座標上に配置された画素を数値データではなく画像として表したときの説明図である。この図４に示すように、デザインメニューデータ２４ｂ（デザインメニュー表示部２４２）は印刷プレビューデータ２４ａ（印刷プレビュー表示部２４１）の左辺に隣接し、印刷メニューデータ２４ｃ（印刷メニュー表示部２４３）は印刷プレビューデータ２４ａ（印刷プレビュー表示部２４１）の右辺に隣接し、選択バーデータ２４ｄ（選択バー表示部２４４）は各データ２４ａ〜２４ｃの上辺に隣接するように作成されている。この図４に表した画像全体は、ディスプレイ３１の画面表示領域の横幅を超えた大きさであり、この図４中、点線で囲んだ領域がディスプレイ３１の画面領域の横幅に収まる大きさを表し、点線で囲んだ領域のうち印刷プレビュー表示部２４１とデザインメニュー表示部２４２とを含む領域がデザイン操作画面主要部５２を表し、点線で囲んだ領域のうち印刷プレビュー表示部２４１と印刷メニュー表示部２４３とを含む領域が印刷操作画面主要部５４を表す。
【００２６】
ＨＤＤ／ＤＶＤレコーダ４０は、図示しないテレビに接続され、周知の録画機能によりテレビの動画映像を入力してＨＤＤやＤＶＤに記録したり、周知の再生機能によりＨＤＤやＤＶＤに記録された動画映像をテレビに出力したりする。
【００２７】
プリンタ４２は、カラーインクカートリッジから印刷媒体へインクを吐出することにより印刷を行う周知のインクジェットプリンタであり、図示しないプリントサーバを介してパソコン２０のネットワークインタフェース３３に接続され、パソコン２０から入力した印刷データに基づいて印刷媒体への印刷を行ったり、印刷状況に関するステイタスデータをパソコン２０へ出力したりする。
【００２８】
次に、こうして構成されたコンピュータシステム１０の動作、特にパソコン２０がデザイン操作画面６２と印刷操作画面６４とをディスプレイ３１に切り替えて表示する動作について説明する。図５は、パソコン２０のＣＰＵ２１により実行されるキャプチャ画像処理ルーチンのフローチャートである。ＣＰＵ２１は、ＨＤＤ／ＤＶＤレコーダ４０の動画映像がキャプチャされると、ＨＤＤ２６に記憶されたキャプチャ画像処理プログラムを読み出して図５のフローチャートにしたがって処理を実行する。
【００２９】
パソコン２０のＣＰＵ２１は、ＨＤＤ／ＤＶＤレコーダ４０の動画映像がキャプチャされると、まず、キャプチャされた静止画を取り込み（ステップＳ１００）、その静止画に基づいて、予め設定されている印刷媒体種、画像配置、画質調整、文字を参照し、印刷プレビューデータ２４ａを作成して表示画像メモリ２４に格納する（ステップＳ１０５）。なお、印刷媒体種、画像配置、画質調整、文字はデザインメニュー表示部２４２に表示される各メニューから階層的な手順を経て設定される。このとき、表示画像メモリ２４には、図４に示す印刷プレビューデータ２４ａとデザインメニューデータ２４ｂと印刷メニューデータ２４ｃと選択バーデータ２４ｄとを含む画像全体のデータが記憶される。このうち、印刷プレビューデータ２４ａはキャプチャされる静止画やデザイン編集作業に応じて更新されるが、デザインメニューデータ２４ｂと印刷メニューデータ２４ｃと選択バーデータ２４ｄとは常に同じデータである。続いて、表示画像メモリ２４から図６に示すデザイン操作画面６２を読み出してディスプレイ３１に画面表示する（ステップＳ１１０）。このデザイン操作画面６２は、図４のデザイン操作画面主要部５２をもとにして、その下辺にカーソルキーの操作説明を表示するカーソルキー説明表示部５３を付加したり、デザイン操作選択バー２４４ａを反転表示したり、印刷プレビュー表示部２４１の下方にレイアウト情報やフォント情報を表示したりしたものである。
【００３０】
その後、ユーザによりデザインメニュー表示部２４２のうちのいずれかのメニューが選択されたか否かを判定し（ステップＳ１１５）、ユーザによりいずれのメニューも選択されなかったときには、続いて選択バー表示部２４４の印刷操作選択バー２４４ｂが選択されたか否かを判定し（ステップＳ１２５）、印刷操作選択バー２４４ｂが選択されなかったときには、デザイン操作画面６２の左上隅に表示された二重三角形状の「戻り」ボタン（図６参照）が選択されたか否かを判定し（ステップＳ１３０）、「戻り」ボタンが選択されなかったときには再びステップ１２０に戻り、「戻り」ボタンが選択されたときには、このキャプチャ画像処理ルーチンを終了する。このルーチンの終了後には、ディスプレイ３１にキャプチャ画像処理ルーチンを実行する前の画面が表示される。
【００３１】
一方、ステップＳ１１５でデザインメニュー表示部２４２のいずれかのメニューが選択されたときには、選択されたメニューに応じた処理（例えば「画像配置」ーが選択されたときには画像の移動や拡大・縮小や回転など）を実行し（ステップＳ１２０）、その後再びステップＳ１０５に戻る。また、ステップＳ１２５で印刷操作選択バー２４４ｂが選択されたときには、デザイン操作画面６２を左方向へスライドさせることによりデザインメニュー表示部２４２をディスプレイ３１の画面の左側から徐々に消しつつ、印刷メニュー表示部２４３をディスプレイ３１の画面の右側から徐々に現れるようにし、最終的に図６に示す印刷操作画面６４をディスプレイ３１上に表示する（ステップＳ１３５）。具体的には、図４においてデザイン操作画面主要部５２を囲っている点線領域を時間経過に伴い横軸に沿って右方向へ移動させたときのその点線領域に囲まれているデータを表示画像メモリ２４から読み出すことにより、ディスプレイ３１上でデザイン操作画面６２が左方向へスライドしていく様子を表す。なお、図６の印刷操作画面６４は、図４の印刷操作画面主要部５４をもとにして、その下辺にカーソルキーの操作説明を表示するカーソルキー説明表示部５５を付加したり、印刷操作選択バー２４４ｂを反転表示したり、印刷プレビュー表示部２４１の下方にレイアウト情報やフォント情報を表示したりしたものである。
【００３２】
さて、ステップＳ１３５で印刷操作画面６４をディスプレイ３１に表示したあと、その印刷操作画面６４の印刷メニュー表示部２４３のうち、印刷枚数の入力ボックスに数値が入力されたか否かを判定し（ステップＳ１４０）、印刷枚数の入力ボックスに数値が入力されたときには、その入力された数値をディスプレイ３１上の入力ボックスに表示し（ステップＳ１４５）、その後ステップＳ１５０に進み、一方、印刷枚数の入力ボックスに数値が入力されていないときには、そのままステップＳ１５０に進む。
【００３３】
続くステップＳ１５０では、印刷メニュー表示部２４３のうち印刷開始ボタンが選択されたか否かを判定し、印刷開始ボタンが選択されたときには、印刷プレビュー表示部２４１に表示されている画像をプリンタ４２が印刷可能な形式の印刷データに変換したあとプリンタ４２に出力して印刷させる印刷ルーチンを実行し（ステップＳ１５５）、その後ステップＳ１６０に進み、印刷開始ボタンが選択されていないときには、そのままステップＳ１６０に進む。
【００３４】
続くステップＳ１６０では、デザイン操作選択バー２４４ａが選択されたか否かを判定し（ステップＳ１６０）、デザイン操作選択バー２４４ａが選択されていないときには、再びステップＳ１４０に戻り、デザイン操作選択バー２４４ａが選択されたときには印刷操作画面６４を右方向へスライドさせることにより徐々に印刷メニュー表示部２４３をディスプレイ３１の画面の右側から徐々に消しつつ、デザインメニュー表示部２４２をディスプレイ３１の画面の左側から徐々に現れるようにし（ステップＳ１６５）、その後ステップＳ１１５に戻る。具体的には、図４において印刷操作画面主要部５４を囲っている点線領域を時間経過に伴い横軸に沿って左方向へ移動させたときのその点線領域に囲まれているデータを表示画像メモリ２４から読み出すことにより、ディスプレイ３１上で印刷操作画面６４が右方向へスライドしていく様子を表す。
【００３５】
なお、デザイン操作選択バー２４４ａあるいは印刷操作選択バー２４４ｂが選択されたか否かの判定は、ユーザがキーボード２８かマウス２９でいずれかの選択バー２４４ａ，２４４ｂを選択したときに生成するデザイン操作画面表示コマンド又は印刷操作画面表示コマンドを周辺コントローラ２７を介して取得したか否かにより行う。
【００３６】
ここで、本実施形態の構成要素と本発明の構成要素との対応関係を明らかにする。本実施形態のディスプレイ３１が表示手段に相当し、周辺コントローラ２７がコマンド取得手段に相当し、表示画像メモリ２４が記憶手段に相当し、ＣＰＵ２１及びビデオコントローラ３０が表示制御手段に相当する。また、デザイン操作画面６２及び印刷操作画面６４が第１及び第２操作画面に相当し、デザインメニュー表示部２４２及び印刷メニュー表示部２４３が第１及び第２操作表示部に相当し、印刷プレビュー表示部２４１がビュワ表示部に相当する。更に、デザイン操作選択バー２４４ａが第１操作画面表示コマンドの選択バーに相当し、印刷操作選択バー２４４ｂが第２操作画面表示コマンドの選択バーに相当する。なお、上述した実施形態では、コンピュータシステム１０を説明することによりユーザインタフェース装置の一実施形態を説明すると同時に、ユーザインタフェース表示方法の一実施形態も併せて説明している。
【００３７】
以上詳述した本実施形態のコンピュータシステム１０では、操作画面の切替前後においてデザインメニュー表示部２４２や印刷メニュー表示部２４３を切り替えて表示させることから、ユーザは操作の切替が行われたことを画面上で容易に認識することができる。また、操作画面の切替前後において印刷プレビュー表示部２４１はそのまま残ることから、印刷プレビュー表示部２４１が一旦画面から消え再び呼び出される場合に比べていちいち呼び出す必要がないため、ユーザの作業性が向上する。
【００３８】
また、デザイン操作画面６２は印刷プレビュー表示部２４１の左辺にデザインメニュー表示部２４２が付され、印刷操作画面６４は印刷プレビュー表示部２４１の右辺に印刷メニュー表示部２４３が付されており、両操作画面６２，６４の切替時には左右方向にスライドさせるため、アスペクト比３：４とか９：１６のような横長画面のディスプレイ３１に各画面６２，６４を適切な大きさで表示することができる。
【００３９】
更に、デザイン操作画面６２においては、デザイン操作選択バー２４４ａが長く表示されているためユーザは現画面がデザイン操作画面６２であると認識しやすいし、印刷操作画面６４に切り替えるときには短く表示された印刷操作選択バー２４４ｂを選択すればよいため切替操作が容易である。この点は印刷操作画面６４においても同様である。しかも、操作画面が切り替わる際に両選択バー２４４ａ，２４４ｂがスライドして長短が切り替わるため、どちらの操作画面に切り替わったのかを視覚的に認識しやすい。
【００４０】
更にまた、デザイン操作（画像編集）を行ったあと印刷を行う場合や印刷を行ったあとデザイン操作を行う場合には、操作画面が切り替わる前後で印刷プレビュー表示部２４１の表示内容が同一であることを容易に確認したいという要望が強いため、本発明を適用する意義が高い。そしてまた、ＨＤＤ／ＤＶＤレコーダ４０の動画をキャプチャして得られた静止画をデザイン操作したあとの印刷プレビュー表示部２４１が印刷時にそのまま残るため、デザイン操作後の画像を確認したあと印刷するのが簡単確実となる。
【００４１】
なお、本発明は上述した実施形態に何ら限定されることはなく、本発明の技術的範囲に属する限り種々の態様で実施し得ることはいうまでもない。
【００４２】
例えば、上述した実施形態では、デザイン操作画面６２と印刷操作画面６４の切替について説明したが、本発明はデザイン操作画面６２と印刷操作画面６４の切替に限定されるものではなく、任意の２つの操作画面の切替について本発明を適用することができる。
【００４３】
また、上述した実施形態では、本発明のユーザインタフェース装置をパソコン２０に具現化したが、パソコン２０の機能をプリンタ４２に内蔵しプリンタ４２とＨＤＤ／ＤＶＤレコーダ４０とを直接繋ぐことにより、プリンタ４２に本発明のユーザインタフェース装置を具現化してもよい。このとき、キーボード２８やマウス２９の代わりにＨＤＤ／ＤＶＤレコーダ４０に付属するリモートコントローラ（リモコン）を利用してプリンタ４２にコマンドを入力するようにしてもよいし、ディスプレイ３１の代わりにＨＤＤ／ＤＶＤレコーダ４０に接続されるテレビの画面を利用して各操作画面６２，６４を表示させてもよい。また、リモコンでは主に上下左右のカーソルキーと決定ボタンとにより選択・決定の操作がなされるため、この点を考慮してデザイン操作画面６２や印刷操作画面６４を作り込んでもよい。
【００４４】
更に、上述した実施形態では、デザイン操作画面６２は印刷プレビュー表示部２４１の左側にデザインメニュー表示部２４２を付し、印刷操作画面６４は印刷プレビュー表示部２４１の右側に印刷メニュー表示部２４３を付したが、図７に示すようにデザイン操作画面６２は印刷プレビュー表示部２４１の上側にデザインメニュー表示部２４２を付し、印刷操作画面６４は印刷プレビュー表示部２４１の下側に印刷メニュー表示部２４３を付し、上下方向にスライドすることにより両操作画面６２，６４を切り替えるようにしてもよい。こうすれば、例えばディスプレイ３１がＡ４縦置き型のような縦長画面のときに、印刷プレビュー表示部２４１と各メニュー表示部２４２，２４３とを適切な大きさで表示することができる。なお、このとき選択バー表示部２４４は、長手方向が上下方向となるように配置される。
【００４５】
更にまた、上述した実施形態では、ビュワ表示部として画像の印刷プレビュー表示部２４１を採用したが、操作対象が文書ファイルのときには文書をビュワで表示してもよい。
【００４６】
そしてまた、上述した実施形態では、ＨＤＤ／ＤＶＤレコーダ４０からキャプチャした静止画を処理する際のユーザインタフェースについて説明したが、特にＨＤＤ／ＤＶＤレコーダ４０からキャプチャした静止画に限定されるものではなく、例えばインターネット経由でダウンロードした静止画であってもよいし、デジタルスチルカメラで撮影した静止画であってもよい。
【図面の簡単な説明】
【図１】コンピュータシステム１０の構成の概略を示す構成図。
【図２】表示画像メモリ２４の説明図。
【図３】各データの説明図。
【図４】各表示部の説明図。
【図５】キャプチャ画像処理ルーチンのフローチャート。
【図６】各操作画面の説明図。
【図７】他の実施形態における各操作画面の説明図。
【符号の説明】
１０  コンピュータシステム、２０  パソコン、２１  ＣＰＵ、２２  ＲＯＭ、２３  ＲＡＭ、２４  表示画像メモリ、２４ａ  印刷プレビューデータ、２４ｂデザインメニューデータ、２４ｃ  印刷メニューデータ、２４ｄ  選択バーデータ、２５  ハードディスクコントローラ、２６  ＨＤＤ、２７  周辺コントローラ、２８  キーボード、２９  マウス、３０  ビデオコントローラ、３１  ディスプレイ、３２  動画入力インタフェース、３３  ネットワークインタフェース、３４  バス、４０  ＨＤＤ／ＤＶＤレコーダ、４２  プリンタ、５２  デザイン操作画面主要部、５３  カーソルキー説明表示部、５４  印刷操作画面主要部、５５  カーソルキー説明表示部、６２  デザイン操作画面、６４  印刷操作画面、２４１  印刷プレビュー表示部、２４２  デザインメニュー表示部、２４３  印刷メニュー表示部、２４４  選択バー表示部、２４４ａ  デザイン操作選択バー、２４４ｂ  印刷操作選択バー。
【図１】
2004342045.tif 000003
【図２】
2004342045.tif 000004
【図３】
2004342045.tif 000005
【図４】
2004342045.tif 000006
【図５】
2004342045.tif 000007
【図６】
2004342045.tif 000008
【図７】
2004342045.tif 000009